(57)【要約】【課題】荷重がかかっても、沈下を防止することのできる支柱部材を提供する。【解決手段】支柱２１と、この支柱２１の長さ方向の所定位置に取り付けられる受圧部材３１とからなる支柱部材１１であって、受圧部材３１が、支柱２１へ取り付ける取付部３３と、この取付部３３の周囲に設けられた平板部３５と、この平板部３５の下面周縁に周回させて設けられた周回壁部３７とで構成されている。【選択図】図１
2016171644.tif 000002
【特許請求の範囲】
【請求項１】
支柱と、この支柱の長さ方向の所定位置に取り付けられる受圧部材とからなる支柱部材であって、
前記受圧部材が、前記支柱へ取り付ける取付部と、この取付部の周囲に設けられた平板部と、この平板部の下面周縁に周回させて設けられた周回壁部とで構成されている、
ことを特徴とする支柱部材。
【請求項２】
請求項１に記載の支柱部材において、
前記受圧部材は、前記支柱への取付位置を調整可能である、
ことを特徴とする支柱部材。
【請求項３】
請求項１または請求項２に記載の支柱部材において、
前記周回壁部は、前記平板部から下側へ延びるとともに周回する周回壁部分と、この周回壁部分の下側に周回して連設され、前記周回壁部分から離れるにしたがって前記支柱に近づくように傾斜している周回傾斜部分とで構成されている、
ことを特徴とする支柱部材。
【請求項４】
請求項１または請求項２に記載の支柱部材において、
前記周回壁部は、前記平板部から離れるにしたがって前記支柱に近づくように傾斜している周回傾斜部分のみで構成されている、
ことを特徴とする支柱部材。
【発明の詳細な説明】
【技術分野】
【０００１】
この発明は、例えば、太陽電池パネルを設置するための架台を設置するのに使用する支柱部材に関するものである。
【背景技術】
【０００２】
近年、再生可能エネルギーの一環として、太陽エネルギーが注目され、太陽光から電気を発電する太陽電池パネルが設置されている。
【０００３】
この太陽電池パネルは、日照時間、遮光する障害物等を考慮し、広大な原野などに設置されている。
【０００４】
そして、太陽電池パネルを設置する場合、支柱部材で支持した架台を設置し、この架台の上に太陽電池パネルと設置している。
【０００５】
なお、支柱部材が太陽電池パネルなどの重みによって沈下し、太陽電池パネルの設置状態が変化することによって発電効率が悪化するのを防止するため、支柱部材が太陽電池パネルの重みによって沈下しないように、外周に周回させて平板状の補強プレートを設けた支柱部材（固定柱脚）が提案されている（例えば、特許文献１参照）。
【先行技術文献】
【特許文献】
【０００６】
【特許文献１】特開平１０−１５９２５３号公報
【発明の概要】
【発明が解決しようとする課題】
【０００７】
上記した従来の（特許文献１に記載されている）支柱部材（固定柱脚）は、補強プレートが平板状であるため、荷重がかかると、補強プレートの下側の土が補強プレートの内側から外側へ移動する（逃げる）ことにより、沈下するという不都合がある。
【０００８】
この発明は、上記した不都合を解消するためになされたもので、荷重がかかっても、沈下を防止することのできる支柱部材を提供するものである。
【課題を解決するための手段】
【０００９】
この発明の支柱部材は、支柱と、この支柱の長さ方向の所定位置に取り付けられる受圧部材とからなる支柱部材であって、前記受圧部材が、前記支柱へ取り付ける取付部と、この取付部の周囲に設けられた平板部と、この平板部の下面周縁に周回させて設けられた周回壁部とで構成されていることを特徴とする。
【００１０】
また、前記受圧部材は、前記支柱への取付位置を調整可能であってもよい。
【００１１】
また、前記周回壁部は、前記平板部から下側へ延びるとともに周回する周回壁部分と、この周回壁部分の下側に周回して連設され、前記周回壁部分から離れるにしたがって前記支柱に近づくように傾斜している周回傾斜部分とで構成されていてもよい。
【００１２】
また、前記周回壁部は、前記平板部から離れるにしたがって前記支柱に近づくように傾斜している周回傾斜部分のみで構成されていてもよい。
【発明の効果】
【００１３】
この発明の支柱部材によれば、受圧部材に周回壁部が設けられているので、支柱部材に荷重がかかることによって平板部の下側の土が平板部の内側から外側（支柱から離れる方向）へ移動しようとしても、周回壁部によって土の移動が阻止され、支柱部材が沈下するのを防止することができる。
【図面の簡単な説明】
【００１４】
【図１】この発明の第１実施例である支柱部材の正面図である。
【図２】図１に示した支柱部材の分解図である。
【図３】図１および図２に示した支柱を示す図で、（ａ）は正面図、（ｂ）は平面図、（ｃ）は底面図、（ｄ）は左側面図である。
【図４】図１および図２に示した受圧部材を示す図で、（ａ）は正面図、（ｂ）は平面図、（ｃ）は底面図、（ｄ）は左側面図、（ｅ）は図４（ａ）のＡ−Ａ線による断面図、（ｆ）は図４（ｄ）のＢ−Ｂ線による断面図である。
【図５】この発明の第１実施例である支柱部材の設置過程を示す説明図である。
【図６】この発明の第１実施例である支柱部材の設置過程を示す説明図である。
【図７】この発明の第２実施例である支柱部材を構成する受圧部材を示す図で、（ａ）は正面図、（ｂ）は平面図、（ｃ）は底面図、（ｄ）は左側面図、（ｅ）は図７（ａ）のＣ−Ｃ線による断面図、（ｆ）は図７（ｄ）のＤ−Ｄ線による断面図である。
【図８】この発明の第２実施例である支柱部材の設置状態を示す説明図である。
【図９】この発明の第３実施例である支柱部材を構成する受圧部材を示す図で、（ａ）は正面図、（ｂ）は平面図、（ｃ）は底面図、（ｄ）は左側面図、（ｅ）は図９（ａ）のＥ−Ｅ線による断面図、（ｆ）は図９（ｄ）のＦ−Ｆ線による断面図である。
【図１０】この発明の第３実施例である支柱部材の設置状態を示す説明図である。
【発明を実施するための形態】
【００１５】
以下、この発明の実施例を、図面を参照して説明する。
【００１６】
図１はこの発明の第１実施例である支柱部材の正面図、図２は図１に示した支柱部材の分解図である。
図３は図１および図２に示した支柱を示す図で、（ａ）は正面図、（ｂ）は平面図、（ｃ）は左側面図である。
図４は図１および図２に示した受圧部材を示す図で、（ａ）は正面図、（ｂ）は平面図、（ｃ）は底面図、（ｄ）は左側面図、（ｅ）は図４（ａ）のＡ−Ａ線による断面図、（ｆ）は図４（ｄ）のＢ−Ｂ線による断面図である。
【００１７】
図１および図２に示す第１実施例の支柱部材１１は、支柱２１と、この支柱２１に取り付けられる受圧部材３１と、この受圧部材３１を支柱２１に取り付けるボルト４１、ナット４３と、受圧部材３１に取り付けられる杭部材５１とで構成されている。
【００１８】
支柱２１は、図３に示すように、円筒状で、下端（先端）が円錐台形状に尖っている。
そして、支柱２１には、ボルト４１の軸部を挿通する挿通孔（取付孔）２１ａが軸方向へ所定の間隔で設けられているとともに、挿通孔２１ａと挿通孔２１ａとの中間位置に位置し、挿通孔２１ａと直交する軸方向へボルト４１の軸部を挿通する挿通孔（取付孔）２１ｂが設けられている。
【００１９】
受圧部材３１は、図４に示すように、支柱２１へ取り付ける円筒状の取付部３３と、この取付部３３の周囲に設けられた平面視四角形（例えば、正方形）の平板部３５と、この平板部３５の下面周縁に平面視四角形（例えば、正方形）に垂下するとともに周回するように設けられた四角筒状の周回周縁部３７と、取付部３３の上側周囲と平板部３５の上側とに９０度分割で設けられた上側補強用リブ３９ａと、取付部３３の下側周囲と平板部３５の下側とに９０度分割で設けられた下側補強用リブ３９ｂとで構成されている。
【００２０】
そして、平板部３５から上側に突出した取付部３３には、ボルト４１の軸部を挿通する挿通孔（取付孔）３３ａが設けられている。
また、平板部３５の上、下側補強用リブ３９ａ，３９ｂを外した各隅部分に、杭部材５１を挿入する（取り付ける）挿通孔（取付孔）３５ａが設けられている。
【００２１】
杭部材５１は、平板部３５の挿通孔３５ａへ上側から下側へ挿通され、平板部３５の下側へ突出する杭部分５１ａと、この杭部分５１ａの上端に形成され（取り付けられ）、杭部分５１ａが平板部３５を貫通して抜けるのを阻止する頭部分（係止部分）５１ｂとで構成されている。
【００２２】
次に、支柱部材１１の組み立てについて説明する。
【００２３】
まず、周回壁部３７を平板部３５の下側にした状態の受圧部材３１の取付部３３に、上側から支柱２１の下側を挿通し、挿通孔２１ａと挿通孔３３ａとを一致させた後、挿通孔２１ａ，３３ａの一端側からボルト４１の軸部を挿通する。
【００２４】
そして、挿通孔２１ａ，３３ａの他端側から突出したボルト４１の軸部にナット４３を螺合させた後、平板部３５の各挿通孔３５ａに杭部材５１の杭部分５１ａを挿通して頭部分５１ｂを平板部３５に係止させることにより、図１に示すように、組み立てることができる。
【００２５】
次に、支柱部材１１の設置の一例について、図５および図６を参照しながら説明する。
【００２６】
まず、図５（ａ）に示すように、地盤Ｇに、受圧部材３１の周回壁部３７に対応する四角形の周回した溝Ｄを掘り、溝Ｄの内側に盛り土ＦＩを形成するとともに、溝Ｄの外側に盛り土ＦＯを形成する。
【００２７】
そして、図１に示した状態から杭部材５１を除いた状態に組み立てた支柱部材１１を、支柱２１の下端（先端）を下側にして、例えば、ジャッキを使用するとともに、てこの原理を利用して、図５（ｂ）に示すように、支柱２１を盛り土ＦＩの中心に突き刺した後、図６（ａ）に示すように、支柱２１をさらに突き刺して盛り土ＦＩを平板部３５で押し広げるとともに、平板部３５の上側が地盤Ｇと同じレベルになるようにする。
【００２８】
図６（ａ）に示すように、支柱部材１１を設置すると、盛り土ＦＩが平板部３５で押し下げられることにより、平板部３５の下側の盛り土ＦＩが平板部３５の内側から外側（支柱２１から離れる方向）へ移動し、平板部３５と周回壁部３７とが形成する隅の部分までも盛り土ＦＩで埋める（埋め戻す）ことができる。
【００２９】
そして、図６（ｂ）に示すように、地盤Ｇの表面と平板部３５の上面とを平面となるように盛り土ＦＯを埋め戻した後、各挿通孔３５ａから地盤Ｇに杭部材５１を差し込むことにより、支柱部材１１の設置が完了する。
【００３０】
図６（ｂ）に示すように、杭部材５１を突き刺すと、杭部分５１ａの体積によって平板部３５の下側の土の隙間をなくすことができ、平板部３５の下側の土を周回壁部３７側へ押し付けることができるとともに、支柱部材１１（支柱２１）の引き抜き抵抗を増加させて支柱部材１１（支柱２１）を引き抜き難くすることができる。
【００３１】
また、図６（ｂ）に示すように、支柱部材１１を設置すると、支柱部材１１（支柱２１）に荷重がかかることによって平板部３５の下側の土が平板部３５の内側から外側（支柱２１から離れる方向）へ移動しようとしても、周回壁部３７によって土の移動が阻止されることにより、支柱部材１１が沈下しなくなる。
【００３２】
この発明の第１実施例の支柱部材１１によれば、受圧部材３１に周回壁部３７を設けたので、支柱部材１１に荷重がかかることによって平板部３５の下側の土が平板部３５の内側から外側へ移動しようとしても、周回壁部３７によって土の移動が阻止され、支柱部材１１が沈下するのを防止することができる。
【００３３】
また、支柱２１に、軸方向に複数の挿通孔（取付孔）２１ａ，２１ｂを設けることにより、受圧部材３１の支柱２１への取付位置（取付高さ）を調整可能としたので、地盤Ｇに応じた深さに支柱２１を刺し込んで、受圧部材３１を地表に位置させ、露出させることができる。
【００３４】
また、周回壁部３７を平板部３５から垂下する平板状にしたので、支柱部材１１を容易に製造（製作）することができる。
【００３５】
また、上、下補強用リブ３９ａ，３９ｂを設けたので、取付部３３（支柱２１）に対して平板部３５が折れ曲がるのを阻止することができる。
【００３６】
また、杭部材５１を設けたので、地中に突き刺さっている杭部材５１が支柱部材１１を引き抜く抵抗を増加させることにより、支柱部材１１が引き抜き難くなる。
【００３７】
図７はこの発明の第２実施例である支柱部材を構成する受圧部材を示す図で、（ａ）は正面図、（ｂ）は平面図、（ｃ）は底面図、（ｄ）は左側面図、（ｅ）は図７（ａ）のＣ−Ｃ線による断面図、（ｆ）は図７（ｄ）のＤ−Ｄ線による断面図である。
【００３８】
第２実施例の支柱部材１１は、支柱２１（図示せず）と、この支柱２１に取り付けられる受圧部材３１と、この受圧部材３１を支柱２１に取り付けるボルト４１（図示せず）、ナット４３（図示せず）と、受圧部材３１に取り付けられる杭部材５１（図示せず）とで構成されている。
【００３９】
支柱２１、ボルト４１、ナット４３、杭部材５１は、第１実施例の支柱部材１１の支柱２１、ボルト４１、ナット４３、杭部材５１と同様に構成されている。
【００４０】
受圧部材３１は、図７に示すように、支柱２１へ取り付ける円筒状の取付部３３と、この取付部３３の周囲に設けられた平面視四角形の平板部３５と、この平板部３５の下面周縁に平面視四角形に周回するように設けられた周回壁部３７と、取付部３３の上側周囲と平板部３５の上側とに９０度分割で設けられた上側補強用リブ３９ａと、取付部３３の下側周囲と平板部３５の下側とに９０度分割で設けられた下側補強用リブ３９ｂとで構成されている。
【００４１】
そして、平板部３５から上側に突出した取付部３３には、ボルト４１の軸部を挿通する挿通孔（取付孔）３３ａが設けられている。
また、平板部３５の上、下側補強用リブ３９ａ，３９ｂを外した各隅部分に、杭部材５１を挿入する（取り付ける）挿通孔（取付孔）３５ａが設けられている。
【００４２】
そして、周回周縁部３７は、平板部３５の下側周縁から下側へ延びるとともに周回する四角筒状の周回壁部分３７ａと、この周回壁部分３７ａの下側に周回して連設され、周回壁部分３７ａから離れるにしたがって、すなわち、下側へゆくにしたがって支柱２１に近づくように傾斜している四角錐台形状の周回傾斜部分３７ｂとで構成されている。
【００４３】
この第２実施例の支柱部材１１も、第１実施例の支柱部材１１と同様に組み立てることができるとともに、図８に示すように、第１実施例の支柱部材１１と同様に設置することができる。
【００４４】
そして、第２実施例の支柱部材１１は、図８に示す状態に設置されるので、すなわち、支柱部材１１に荷重がかかったときに平板部３５の下側の土が平板部３５の内側から外側へ移動しないように周回傾斜部分３７ｂによって抱え込まれるので、周回壁部３７（周回傾斜部分３７ｂ）によって土の移動が阻止されることにより、支柱部材１１がさらに沈下し難くなる。
【００４５】
この発明の第２実施例の支柱部材１１においても、第１実施例の支柱部材１１と同様な効果を得ることができる。
【００４６】
図９はこの発明の第３実施例である支柱部材を構成する受圧部材を示す図で、（ａ）は正面図、（ｂ）は平面図、（ｃ）は底面図、（ｄ）は左側面図、（ｅ）は図９（ａ）のＥ−Ｅ線による断面図、（ｆ）は図９（ｄ）のＦ−Ｆ線による断面図である。
【００４７】
第３実施例の支柱部材１１は、支柱２１（図示せず）と、この支柱２１に取り付けられる受圧部材３１と、この受圧部材３１を支柱２１に取り付けるボルト４１（図示せず）、ナット４３（図示せず）と、受圧部材３１に取り付けられる杭部材５１（図示せず）とで構成されている。
【００４８】
支柱２１、ボルト４１、ナット４３、杭部材５１は、第１実施例の支柱部材１１の支柱２１、ボルト４１、ナット４３、杭部材５１と同様に構成されている。
【００４９】
受圧部材３１は、図９に示すように、支柱２１へ取り付ける円筒状の取付部３３と、この取付部３３の周囲に設けられた平面視四角形の平板部３５と、この平板部３５の下面周縁に平面視四角形に周回するように設けられた四角錐台形状の周回壁部３７と、取付部３３の上側周囲と平板部３５の上側とに９０度分割で設けられた上側補強用リブ３９ａと、取付部３３の下側周囲と平板部３５の下側とに９０度分割で設けられた下側補強用リブ３９ｂとで構成されている。
【００５０】
そして、平板部３５から上側に突出した取付部３３には、ボルト４１の軸部を挿通する挿通孔（取付孔）３３ａが設けられている。
また、平板部３５の上、下側補強用リブ３９ａ，３９ｂを外した各隅部分に、杭部材５１を取り付ける挿通孔（取付孔）３５ａが設けられている。
そして、周回壁部３７は、平板部３５から離れるにしたがって、すなわち、下側へゆくにしたがって支柱２１に近づくように傾斜している四角錐台形状の周回傾斜部分（周回傾斜壁）のみで構成されている。
【００５１】
この第３実施例の支柱部材１１も、第１実施例の支柱部材１１と同様に組み立てることができるとともに、図１０に示すように、第１実施例の支柱部材１１と同様に設置することができる。
【００５２】
そして、第３実施例の支柱部材１１は、図１０に示す状態に設置されるので、すなわち、支柱部材１１に荷重がかかったときに平板部３５の下側の土が平板部３５の内側から外側へ移動しないように周回壁部３７によって抱え込まれるので、周回壁部３７によって土の移動が阻止されることにより、支柱部材１１がさらに沈下し難くなる。
【００５３】
この発明の第３実施例の支柱部材１１においても、第１、第２実施例の支柱部材１１と同様な効果を得ることができる。
【００５４】
上記した実施例において、受圧部材３１が地盤Ｇと同じレベルとなるように支柱部材１１を設置する例を示したが、受圧部材３１、杭部材５１を地盤Ｇに埋め込まれるように支柱部材１１を設置してもよい。
【００５５】
また、支柱２１に対して平板部３５の取付位置（取付高さ）を調整可能とする例を示したが、支柱２１に対して平板部３５を移動できないように取り付けてもよい。
【００５６】
また、平板部３５に挿通孔（取付孔）３５ａを設け、この挿通孔（取付孔）３５ａに杭部材５１を取り付ける例を示したが、挿通孔（取付孔）３５ａおよび杭部材５１は設けなくてもよい。
【００５７】
また、平板部３５の平面時形状を四角形（正方形）とした例を示したが、平板部３５は平面視四角形以外の形状、例えば、円形、多角形（例えば、三角形、五角形、六角形など）であってもよい。
【００５８】
また、上、下側補強用リブ３９ａ，３９ｂを設けた例を示したが、上、下側補強用リブ３９ａ，３９ｂは設けなくてもよい。
【００５９】
また、太陽電池パネルを設置するための架台を設置するのに使用する支柱部材１１の例を示したが、他の用途、例えば、住宅を建設する支柱部材１１としてもよい。
【符号の説明】
【００６０】
１１    支柱部材
２１    支柱
２１ａ  挿通孔（取付孔）
２１ｂ  挿通孔（取付孔）
３１    受圧部材
３３    取付部
３３ａ  挿通孔（取付孔）
３５    平板部
３５ａ  挿通孔（取付孔）
３７    周回壁部
３７ａ  周回壁部分
３７ｂ  周回傾斜部分
３９ａ  上側補強用リブ
３９ｂ  下側補強用リブ
４１    ボルト
４３    ナット
５１    杭部材
５１ａ  杭部分
５１ｂ  頭部分（係止部分）
Ｇ      地盤
Ｄ      溝
ＦＩ    盛り土
ＦＯ    盛り土
【図１】
2016171644.tif 000003
【図２】
2016171644.tif 000004
【図３】
2016171644.tif 000005
【図４】
2016171644.tif 000006
【図５】
2016171644.tif 000007
【図６】
2016171644.tif 000008
【図７】
2016171644.tif 000009
【図８】
2016171644.tif 000010
【図９】
2016171644.tif 000011
【図１０】
2016171644.tif 000012